(57)【特許請求の範囲】
【請求項１】
電界強度に応じて伸縮、または動作するエラストマーまたは圧電ポリマーからなるシート状の振動部と、前記振動部の両面に設けられ前記電界強度を発生させる導電性高分子からなる一対の電極と、前記電極に設けられた電極端子とを備える発音体であって、
前記振動部は、直方形に形成されると共に、前記電極端子が対面する２辺に沿って設けられ、かつ、前記振動部の両面の少なくとも一方に、前記振動部の２辺から中央に向かって当該振動部の厚みが薄くなるように凹部を形成したことを特徴とする発音体。
【請求項２】
電界強度に応じて伸縮、または動作するエラストマーまたは圧電ポリマーからなるシート状の振動部と、前記振動部の両面に設けられ前記電界強度を発生させる導電性高分子からなる一対の電極と、前記電極に設けられた電極端子とを備える発音体であって、
前記振動部は、円形または楕円形に形成されると共に、前記電極端子が周縁に沿って設けられ、かつ、前記振動部の両面の少なくとも一方に、前記振動部の周縁から中央に向かって当該振動部の厚みが薄くなるように凹部を形成したことを特徴とする発音体。
【請求項３】
請求項１または請求項２に記載された発音体を２枚積層した積層体で構成し、前記電極間に直流電圧を印加した発音体であって、前記電極のうちの高電位出力側の電極同士が向かい合うように積層したことを特徴とする発音体。
【請求項４】
前記積層体を複数積層したことを特徴とする請求項３に記載の発音体。
【請求項５】
請求項１または請求項２に記載された発音体を複数積層し、前記電極間に交流電圧を印加した発音体であって、隣接する前記発音体の前記電極間に絶縁部を備えたことを特徴とする発音体。        
【発明の詳細な説明】
【技術分野】
【０００１】
本発明は、スピーカに用いられる発音体に関するものである。
【背景技術】
【０００２】
ＳＨＶ（スーパハイビジョン）を始め、家庭環境での利用を目的とした高臨場感音響装置の開発が盛んに行われている。一般に高臨場感音響の実現のためには、ある程度の数のスピーカが必要とされることが多いが、多数のスピーカを居間等に設置する方法は、現在の居住環境に馴染みにくい。そこで、薄型かつ軽量のスピーカ、および、このスピーカに用いられる発音体の提供が要望されている。
【０００３】
従来、薄型かつ軽量のスピーカに用いられる発音体として、特許文献１では、柔軟性のある樹脂（例えば、ポリウレタン樹脂）および圧電素子（例えば、チタンジルコン酸鉛系セラミックス）からなるシート状の複合圧電体の両面に電極（例えば、アルミニウム膜）を設けた振動板（本発明における発音体）が記載されている。また、特許文献２では、所定の誘電率を有する強誘電体複合酸化物（例えば、チタンジルコン酸鉛系セラミックス）を含む圧電材料と、その圧電材料の両面に形成された電極（例えば、銀膜）とからなる薄板圧電素子（本発明における発音体）が記載されている。
【０００４】
近年、前記したセラミックス等を使用した圧電体または圧電材料（以下、圧電体と称す）の代わりに、シリコンまたはアクリル等をベースとしたエラストマーを使用した発音体の開発が進められている。そして、エラストマーは、前記圧電体と比べて、空気中でもゴム状の柔軟性を有すると共に、形状の制約等がないため加工がしやすく、かつ、樹脂の種類を選択することで透明性を実現できるという長所があるため、比較的大面積の発音体の開発に適している。また、前記した圧電体として、チタンジルコン酸鉛系セラミックスの代わりに、ＰＶＤＦ（ポリフッ化ビニリデン）を使用した発音体の開発も進められている。そして、ＰＶＤＦもエラストマーと同様に、柔軟性、透明性および加工性に優れるという長所があるため、比較的大面積の発音体の開発に適している。
【０００５】
なお、前記したエラストマーを使用した発音体では、電圧印加によって発生するマクスウェル応力によって、電極間に引力が発生する。そして、この引力によって、エラストマーは圧縮され、その厚みが変化する。このとき、適切な直流バイアス電圧に音声信号を重畳することで、エラストマーは電圧値に応じて全方位へ伸縮することによって振動し、音が発生する。
【特許文献１】特開平０８−８８８９６号（請求項１、段落０００９、図１）
【特許文献２】特開２００１−５７４４９号公報（請求項１、段落００２６、段落００３１、図１）
【発明の開示】
【発明が解決しようとする課題】
【０００６】
しかしながら、前記したエラストマーを使用した発音体では、電圧を印加するためにエラストマーの両面に蒸着等の方法で金属電極を形成する必要がある。そして、発音体に電圧が印加された際、エラストマーは柔軟性かつ伸縮の幅が大きいため、金属電極がエラストマーの変形動作を阻害する恐れがある。
【０００７】
そこで、導電性高分子からなる柔軟な電極を、金属電極の代わりに使用することが検討されてきている。そして、近年の開発の進展で、高い導電性を示す導電性高分子も数多く知られるようになってきている。しかし、金属電極との比較において、導電性高分子からなる電極は現時点では低い導電率に留まる。そのため、大面積の電極に電圧を行き渡らせる場合、電極端子からの距離に応じた電圧降下が避けられない。一般にエラストマーも均一な厚みで構成されているため、結果として電極間の電界強度が電極端子からの距離に応じて小さくなる。そして、電極間の引力は電界強度に比例するため、電極間の引力によって発生するエラストマーの伸縮（振動）の度合いが電極端子からの距離に応じて小さくなる。その結果、発音体（エラストマー）の面全体が等しく振動しにくくなり、音響特性が低下するという問題がある。同様に、電界強度に応じて振動するＰＶＤＦを使用した発音体においても、電極端子からの距離に応じた電圧降下による電界強度の低下が避けられず、発音体（ＰＶＤＦ）の面全体が等しく振動しにくくなり、音響特性が低下するという問題がある。
【０００８】
そこで、本発明は、このような問題を解決すべく創案されたもので、その目的は、導電率の低い電極材料を使用した際にも、優れた音響特性を有する発音体を提供することにある。
【課題を解決するための手段】
【００１１】
前記課題を解決するために、請求項１に係る発音体は、電界強度に応じて伸縮、または動作するエラストマーまたは圧電ポリマーからなるシート状の振動部と、前記振動部の両面に設けられ前記電界強度を発生させる導電性高分子からなる一対の電極と、前記電極に設けられた電極端子とを備える発音体であって、前記振動部が、直方形に形成されると共に、前記電極端子が対面する２辺に沿って設けられ、かつ、前記振動部の両面の少なくとも一方に、前記振動部の２辺から中央に向かって、当該振動部の厚みが薄くなるように凹部を形成したことを特徴とする。
【００１２】
前記構成によれば、振動部が凹部を備えていることによって、電極間の電圧に電極端子からの距離に応じた電圧降下が発生しても、対面する２辺から中央に向かって振動部の厚みが薄くなり、電極間の距離が小さくなるため、電極の各点において電界強度が一定となる。その結果、発音体（振動部）の面全体が均一に振動する。
【００１３】
請求項２に係る発音体は、電界強度に応じて伸縮、または動作するエラストマーまたは圧電ポリマーからなるシート状の振動部と、前記振動部の両面に設けられ前記電界強度を発生させる導電性高分子からなる一対の電極と、前記電極に設けられた電極端子とを備える発音体であって、前記振動部が、円形または楕円形に形成されると共に、前記電極端子が周縁に沿って設けられ、かつ、前記振動部の両面の少なくとも一方に、前記振動部の周縁から中央に向かって、当該振動部の厚みが薄くなるように凹部を形成したことを特徴とする。
【００１４】
前記構成によれば、振動部が凹部を備えていることによって、電極間の電圧に電極端子からの距離に応じた電圧降下が発生しても、周縁から中央に向かって振動部の厚みが薄くなり、電極間の距離が小さくなるため、電極の各点において電界強度が一定となる。その結果、発音体（振動部）の面全体が均一に振動する。
【００１５】
請求項３に係る発音体は、請求項１または請求項２に記載された発音体を２枚積層した積層体で構成し、前記電極間に直流電圧を印加した発音体であって、前記電極のうちの高電位出力側の電極同士が向かい合うように積層したことを特徴とする。
【００１６】
前記構成によれば、発音体が、２枚の発音体を積層したものであることによって、発音体の振動部が２つに分割されて各発音体の振動部の厚みが薄くなり、発音体に直流電流を印加した際、各発音体に印加する電圧を下げることが可能となる。その結果、高電位による感電を防止することも可能となる。また、２枚の発音体を高電位出力側の電極同士が向かい合うように積層したものであることによって、発音体に直流電圧を印加した際、接地電位（０Ｖ）出力側の電極のみが発音体の外側に露出することになるため、高電位による感電をより一層防止することが可能となる。
【００１７】
請求項４に係る発音体は、前記積層体を複数積層したことを特徴とする。
【００１８】
前記構成によれば、発音体が、２枚の発音体を高電位出力側の電極同士が向かい合うように積層した積層体をさらに複数積層したものであることによって、発音体の振動部が４つ以上に分割されて各発音体の振動部の厚みがより一層薄くなり、発音体に直流電圧を印加した際、各発音体に印加する電圧をより一層下げることが可能となる。また、高電位による感電をより一層防止することが可能となる。さらに、発音体が、複数の積層体（２枚の発音体）で構成されることによって、発音体全体の振幅を効率的に稼ぐことが可能となる。
【００１９】
請求項５に係る発音体は、請求項１または請求項２に記載された発音体を複数積層し、前記電極間に交流電圧を印加した発音体であって、隣接する前記発音体の前記電極間に絶縁部を備えたことを特徴とする。
【００２０】
前記構成によれば、発音体が、複数の発音体を積層したもので、隣接する発音体の電極間に絶縁部を備えたものであることによって、発音体の振動部が複数に分割されて各発音体の振動部の厚みが薄くなり、発音体に交流電圧を印加した際、各発音体に印加する電圧を下げることが可能となる。その結果、高電位による感電を防止することも可能となる。また、発音体が、複数の発音体で構成されることによって、発音体全体の振幅を効率的に稼ぐことが可能となる。
【発明の効果】
【００２１】
請求項１、２に係る発音体によれば、振動部の電界強度が一定となり、振動部の面全体が均一に振動するため、音響特性が優れたものとなる。そして、振動部が直方形に形成され、その対面する２辺に電極端子が設けられた発音体、または、振動部が円形または楕円形に形成され、その周縁に電極端子が設けられた発音体において、音響特性が特に優れたものとなる。
【００２２】
請求項３〜５に係る発音体によれば、音響特性に優れると共に、各発音体に印加する電圧が下がるため、経済性および安全性に優れる。また、直流電圧が印加される請求項３、４の発音体によれば、接地電位出力側の電極のみが発音体の外側に露出されるため、高電位による感電がより一層防止されるため、安全性がより一層優れる。
【００２３】
なお、請求項１〜５に係る発音体は、家庭環境に柔軟に適応できる薄型かつ軽量のスピーカに好適に利用される。
【発明を実施するための最良の形態】
【００２４】
本発明に係る発音体の実施の形態について、図面を参照して詳細に説明する。
ここで、図１（ａ）は発音体の構成を示す斜視図、（ｂ）は（ａ）のＡ−Ａ線断面図、（ｃ）は変形例の構成を示す断面図、図２（ａ）は図１の発音体における電位差の変化、（ｂ）は厚みの変化、（ｃ）は電界強度の変化を示す図、図３（ａ）は発音体の別の実施形態の構成を示す斜視図、（ｂ）は（ａ）のＢ−Ｂ線断面図、（ｃ）は変形例の構成を示す断面図、図４（ａ）は図３の発音体における電位差の変化、（ｂ）は厚みの変化、（ｃ）は電界強度の変化を示す図である。
【００２５】
図１（ａ）、（ｂ）に示すように、発音体１Ａは、振動部２と、一対の電極３ａ、３ｂと、電極端子４とを備え、振動部２は凹部５ａを備える。
振動部２は、一対の電極３ａ、３ｂに電圧が印加された際に発生する電界強度に応じて伸縮、または動作するエラストマーまたは圧電ポリマーからなるシートで構成される。エラストマーとしてはポリウレタン、天然ゴム、ポリプロピレン、ポリブチレンテレフタレート等、圧電ポリマーとしてはＰＶＤＦまたはその複合体等が好ましいが、柔軟性、成形加工性および高温耐久性に優れたものであれば前記以外のものであってもよい。また、発音体１Ａに透明性が要望される場合には、透明性に優れたエラストマーまたは圧電ポリマーを選択することが好ましい。
【００２６】
振動部２は、電極３ａ、３ｂに設けられた電極端子４からの距離Ｌが大きくなると振動部２の厚みが薄くなるように構成されている。振動部２の厚みは、発音体１Ａの薄型化かつ軽量化の要望に応えるために、最大厚みとなる端部における厚みＴ１を２００μｍ程度とすることが好ましい。また、最小厚みとなる凹部５ａの底部における厚みＴ２は、電極端子４からの距離Ｌに応じた電圧降下を考慮して設定し、具体的には２９７ｍｍ×２１０ｍｍの面積で１９５μｍ程度である。
【００２７】
電極３ａ、３ｂは、振動部２の両面に設けられ、電極３ａと電極３ｂとの間に所定の電界強度を発生させる導電性高分子からなるシート状の電極である。導電性高分子としては、抵抗率３ｋΩ／□以下の高分子であって、例えば、ポリエチレンジオキチオフェンが好ましいが、導電性および柔軟性に優れたものであれば前記以外のものであってもよい。また、発音体１Ａに透明性が要望される場合には、透明性に優れた導電性高分子を選択することが好ましい。また、電極３ａ、３ｂの厚みは、振動部２の振動を阻害しない１μｍ程度が好ましく、スピンコート法等で振動部２の両面に形成される。
【００２８】
電極端子４は、電極３ａと電極３ｂとの間に高電圧を印加するための導線等であって、振動部２の振動を阻害しないために、電極３ａ、３ｂの端部に設けられることが好ましい。電極３ａ、３ｂと電極端子４（導線）との接続は、点接触でもよいが、高電圧の印加の安定性を図るために、図１（ａ）に示すような線接触が好ましい。
【００２９】
次に、発音体の好ましい実施形態について説明する。
図１（ａ）、（ｂ）に示すように、発音体１Ａは、振動部２が、直方形に形成されると共に、電極端子４が対面する２辺に沿って設けられ、かつ、振動部２の２辺から中央に向かって、振動部２の厚みが薄くなるように凹部５ａを形成したものが好ましい。具体的には、凹部５ａは、振動部２の中央を谷として平面状の傾斜面６ａで構成されている。なお、振動部２、電極３ａ（３ｂ）、電極端子４の詳細は前記したとおりである。また、図１（ｃ）に示すように、発音体１Ａは、振動部２の両面に凹部５ａを形成したものであってもよい。
【００３０】
発音体１Ａにおいて、電位差、厚み（振動部２）および電界強度の変化は、以下のとおりである。また、電極３ａ、３ｂの導電率をｐ、振動部２の長さ（電極端子４から距離）をＬ、電極３ａ、３ｂの断面積をＳとすると、電極３ａ、３ｂの抵抗ＲはＲ＝ｐＬ／Ｓと表せる。
【００３１】
図２（ａ）に示すように、電位差は、発音体１Ａの電極端子４が振動部２（電極３ａ、３ｂ）の対面する２辺に沿って設けられているため、電極端子４からの距離Ｌの一次関数として表され、振動部２の中央を谷として直線的に変化する（電圧降下する）。
図２（ｂ）に示すように、厚み（振動部２）は、電位差と同様に、距離Ｌの一次関数として表され、振動部２の中央を谷として直線的に変化する。
図２（ｃ）に示すように、電界強度は常に一定である。これは、振動部２の中央では電位が下がるが（図２（ａ）参照）、振動部２の厚みも同様に中央では薄くなる（図２（ｂ）参照）ためである。
【００３２】
図３（ａ）、（ｂ）に示すように、発音体１Ｂは、振動部２が、円形または楕円形に形成されると共に、電極端子４が周縁に沿って設けられ、かつ、振動部２の周縁から中央に向かって、振動部２の厚みが薄くなるように凹部５ｂを形成したものが好ましい。具体的には、凹部５ｂは、振動部２の中央を谷として曲面状の傾斜面６ｂで構成されている。なお、振動部２、電極３ａ（３ｂ）、電極端子４の詳細は前記したとおりである。また、図３（ｃ）に示すように、発音体１Ｂは、振動部２の両面に凹部５ｂを形成したものであってもよい。
【００３３】
発音体１Ｂにおいて、電位差、厚み（振動部２）および電界強度の変化は、以下のとおりである。また、電極３ａ、３ｂの抵抗Ｒは、発音体１Ａと同様に、Ｒ＝ｐＬ／Ｓで表せる。
【００３４】
図４（ａ）に示すように、電位差は、発音体１Ｂの電極端子４が振動部２（電極３ａ、３ｂ）の周縁に沿って設けられているため、振動部２の中央を谷として、電極端子４からの距離Ｌに対して対数関数的に変化する（電圧降下する）。
図４（ｂ）に示すように、厚み（振動部２）は、電位差と同様に、振動部２の中央を谷として、距離Ｌに対して対数関数的に変化する。
図４（ｃ）に示すように、電界強度は常に一定である。これは、振動部２の中央では電位が下がるが（図４（ａ）参照）、振動部２の厚みも同様に中央では薄くなる（図４（ｂ）参照）ためである。
【００３５】
したがって、発音体１Ａ、１Ｂにおいては、振動部２に凹部５ａ、５ｂを形成することによって、電圧降下によって減少する電界強度を、振動部２の厚みを薄くすることで補償し、振動部２の各点での電界強度を一定にすることができるため、振動部２の面全体が均一に振動し、音響特性が優れたものとなる。
【００３６】
次に、発音体の別の実施形態について図面を参照して説明する。ここで、図５（ａ）、（ｂ）は本発明に係る発音体の別の実施形態の構成を示す側面図である。
図５（ａ）に示すように、発音体１Ｃは、前記した発音体１Ａ（１Ｂ）（図１（ａ）、図３（ａ）参照）を２枚積層した積層体７で構成し、電極３ａと電極３ｂとの間に直流電圧を印加したもので、電極３ａ、３ｂのうちの高電位出力側の電極３ａ同士が向かい合うように積層したものである。また、発音体１Ｃは、積層体７を複数積層したものであってもよい。そして、発音体１Ｃを構成する発音体１Ａ（１Ｂ）の数は、２〜１０個が好ましく、発音体１Ｃの振動部２の合計厚みを、各発音体１Ａ（１Ｂ）の振動部２の端部の最大厚みＴ１（図１（ｂ）、図３（ｂ）参照）の合計で、２００μｍ程度とすることが好ましい。さらに、発音体１Ａ（１Ｂ）の積層は、導電性接着剤等で電極３ａ同士を貼り合わせることが好ましい。なお、発音体１Ａ（１Ｂ）の詳細は前記したとおりである。
【００３７】
発音体１Ｃでは、高電位出力側の電極３ａ同士が向かい合うように積層されているため、接地電位（０Ｖ）出力側の電極３ｂのみが発音体１Ｃの外側に露出されることとなる。その結果、発音体１Ｃに誤って触れた際、高電位（例えば、１５００Ｖ）による感電を防止することが可能となる。また、発音体１Ｃが、複数の発音体１Ａ（１Ｂ）で構成されているため、各発音体１Ａ（１Ｂ）の振動部２の厚みが薄くなり、各発音体１Ａ（１Ｂ）に印加する電圧を下げることが可能となるため、経済的である。また、発音体１Ｃ全体の振幅を効率的に稼ぐことができるため、発音体１Ｃの音響特性がさらに向上する。
【００３８】
図５（ｂ）に示すように、発音体１Ｄは、前記した発音体１Ａ（１Ｂ）（図１（ａ）、図３（ａ）参照）を、複数積層し、電極３ａと電極３ｂとの間に交流電圧を印加したもので、隣接する発音体１Ａ（１Ｂ）の電極３ｂと電極３ａとの間に絶縁部８を備えたものである。そして、振動部２は圧電ポリマー（ＰＶＤＦ等）からなることが好ましい。絶縁部８は、公知の絶縁材料から構成されたもので、厚み１μｍ程度のシートが好ましい。そして、発音体１Ｄを構成する発音体１Ａ（１Ｂ）の数は２〜４個が好ましく、発音体１Ｄの振動部２の合計厚みを、各発音体１Ａ（１Ｂ）の振動部２の端部の最大厚みＴ１（図１（ｂ）、図３（ｂ）参照）の合計で、１００μｍ程度とすることが好ましい。
【００３９】
発音体１Ｄでは、複数の発音体１Ａ（１Ｂ）で構成され、発音体１Ａ（１Ｂ）間に絶縁部８を備えているため、各発音体１Ａ（１Ｂ）の振動部２の厚みが薄くなり、各発音体１Ａ（１Ｂ）に印加する電圧を下げることが可能となるため、経済的である。また、発音体１Ｄ全体の振幅を効率的に稼ぐことができるため、発音体１Ｄの音響特性がさらに向上する。
【００４０】
以上、本発明を実施するための最良の形態について、図面を参照して詳細に説明したが、本発明はかかる実施形態に限定されるものではなく、本発明の趣旨を逸脱しない範囲で適宜変更可能である。
【００４１】
例えば、前記した発音体１Ａ、１Ｂ（図１（ａ）〜（ｃ）、図３（ａ）〜（ｃ）参照）は、振動部２の厚みを凹部５ａ、５ｂを形成することによって変化させているが、図６（ａ）〜（ｃ）、図７（ａ）〜（ｃ）に示すように、振動部２の厚みを凸部９ａ、９ｂを形成することによって変化させた発音体１Ｅ、１Ｆであってもよい。ここで、図６（ａ）は発音体の別の実施形態の構成を示す斜視図、（ｂ）は（ａ）のＣ−Ｃ線断面図、（ｃ）は変形例を示す断面図、図７（ａ）は発音体の別の実施形態の構成を示す斜視図、（ｂ）は（ａ）のＤ−Ｄ線断面図、（ｃ）は変形例を示す断面図である。なお、発音体１Ｅ、１Ｆにおいて、発音体１Ａ、１Ｂと同一の構成については同一の符号を付した。
【００４２】
発音体１Ｅは、振動部２が、直方形に形成されると共に、電極端子４が直方形の中央（対面する２辺の間）に設けられ、かつ、振動部２の中央から２辺（端部）に向かって、振動部２の厚みが薄くなるように凸部９ａを形成したものである。具体的には、凸部９ａは、振動部２の中央を山として平面状の傾斜面６ａで構成されている。そして、振動部２の厚みは、最大厚みとなる凸部９ａの頂部における厚みｔ２を２００μｍ程度、最小厚みとなる端部における厚みｔ１を２９７ｍｍ×２１０ｍｍの面積で１９５μｍ程度とすることが好ましい。また、発音体１Ｅは、振動部２の両面に凸部９ａを形成したものであってもよい。さらに、発音体１Ｅにおいて、図示しないが、電位差および厚み（振動部２）は、振動部２の長さ（電極端子４からの距離Ｌ）の一次関数として表され、振動部２の中央を山として直線的に変化する（振動部２の端部に向かって減少する）が、電界強度は常に一定である。なお、発音体１Ａ、１Ｂと同様に、発音体１Ｅを複数積層してもよい。
【００４３】
発音体１Ｆは、振動部２が、円形または楕円形に形成されると共に、電極端子４が振動部２の中央に設けられ、かつ、振動部２の中央から周縁に向かって、振動部２の厚みが薄くなるように凸部９ｂを形成したものである。具体的には、凸部９ｂは、振動部２の中央を山として曲面状の傾斜面６ｂで構成されている。そして、振動部２の厚みｔ１、ｔ２は、発音体１Ｅ（凸部９ａ）と同程度が好ましい。また、発音体１Ｆは、振動部２の両面に凸部９ｂを形成したものであってもよい。さらに、発音体１Ｆにおいて、図示しないが、電位差および厚み（振動部２）は、振動部２の中央を山として、電極端子４からの距離Ｌに対して対数関数的に変化する（振動部２の周縁に向かって減少する）が、電界強度は常に一定である。なお、発音体１Ａ、１Ｂと同様に、発音体１Ｆを複数積層してもよい。
【図面の簡単な説明】
【００４４】
【図１】（ａ）は本発明に係る発音体の構成を示す斜視図、（ｂ）は（ａ）のＡ−Ａ線断面図、（ｃ）は変形例の構成を示す断面図である。
【図２】（ａ）は図１の発音体における電位差の変化、（ｂ）は厚みの変化、（ｃ）は電界強度の変化を示す図である。
【図３】（ａ）は本発明に係る発音体の別の実施形態の構成を示す斜視図、（ｂ）は（ａ）のＢ−Ｂ線断面図、（ｃ）は変形例の構成を示す断面図である。
【図４】（ａ）は図３の発音体における電位差の変化、（ｂ）は厚みの変化、（ｃ）は電界強度の変化を示す図である。
【図５】（ａ）、（ｂ）は本発明に係る発音体の別の実施形態の構成を示す側面図である。
【図６】（ａ）は本発明に係る発音体の別の実施形態の構成を示す斜視図、（ｂ）は（ａ）のＣ−Ｃ線断面図、（ｃ）は変形例の構成を示す断面図である。
【図７】（ａ）は本発明に係る発音体の別の実施形態の構成を示す斜視図、（ｂ）は（ａ）のＤ−Ｄ線断面図、（ｃ）は変形例の構成を示す断面図である。
【符号の説明】
【００４５】
１Ａ、１Ｂ、１Ｃ、１Ｄ、１Ｅ、１Ｆ  発音体
２      振動部
３ａ、３ｂ  電極
４      電極端子
５ａ、５ｂ  凹部
６ａ、６ｂ  傾斜面
７      積層体
８      絶縁部
９ａ、９ｂ  凸部
【図１】
0005134431.tif 000002
【図２】
0005134431.tif 000003
【図３】
0005134431.tif 000004
【図４】
0005134431.tif 000005
【図５】
0005134431.tif 000006
【図６】
0005134431.tif 000007
【図７】
0005134431.tif 000008